(57)【要約】【課題】本発明は、メモリーカードを容易に取り出すことができる電子装置を提供することを目的とする。【解決手段】本発明の電子装置は、カバー及び前記カバーに装着されるイジェクト機構を備え、前記イジェクト機構は、メモリーカードを保持するトレイと、前記カバーの側壁にスライド可能に接続される操作部材と、前記カバーに回動可能に接続される伝動部材と、を備え、前記操作部材は、外力によってスライドするとともに前記伝動部材を連動して回動させ、前記伝動部材は、回動するとともに前記トレイを推進して、前記トレイは、前記カバーの外部に排出される。【選択図】図２
2013061933.tif 000002
【特許請求の範囲】
【請求項１】
カバー及び前記カバーに装着されるイジェクト機構を備えてなる電子装置であって、
前記イジェクト機構は、メモリーカードを保持するトレイと、前記カバーの側壁にスライド可能に接続される操作部材と、前記カバーに回動可能に接続される伝動部材と、を備え、
前記操作部材は、外力によってスライドするとともに前記伝動部材を連動して回動させ、前記伝動部材は、回動するとともに前記トレイを推進して、前記トレイは、前記カバーの外部に排出されることを特徴とする電子装置。
【請求項２】
前記イジェクト機構は、前記伝動部材に固定されて弾性復帰力を付与する弾性部材をさらに備えることを特徴とする請求項１に記載の電子装置。
【請求項３】
前記イジェクト機構は、支持部材をさらに備え、前記支持部材の前記操作部材に対応する箇所には、前記操作部材の移動範囲を制限するための制限部が形成されることを特徴とする請求項１または２に記載の電子装置。
【請求項４】
前記操作部材は、前記支持部材の制限部に収容されて外力によって前記制限部内でスライドする駆動部を備えることを特徴とする請求項３に記載の電子装置。
【請求項５】
前記操作部材の駆動部には駆動斜面が形成され、前記伝動部材の一端には、前記駆動斜面に当接する接触面を有する第一係合部が形成され、前記操作部材がスライドする際、前記操作部材の前記駆動斜面は、前記第一係合部の前記接触面に対してスライドしながら、前記伝動部材の前記第一係合部を前記操作部材から離れる方向に向かって推進することを特徴とする請求項１から４のいずれか一項に記載の電子装置。
【請求項６】
前記伝動部材の他端には、押圧部が形成され、前記押圧部は、前記操作部材の作用によって、前記第一係合部の移動方向に相反する方向に向かって移動して、前記トレイを推進することを特徴とする請求項５に記載の電子装置。
【請求項７】
前記カバーには、互いに連通される第一挿入口及び第二挿入口が設けられ、前記操作部材は、前記第一挿入口に設置され、前記トレイは、前記第二挿入口を貫通して前記電子装置内にスライド可能に設置され、前記トレイの移動方向は、前記操作部材の移動方向に垂直であることを特徴とする請求項１から６のいずれか一項に記載の電子装置。
【請求項８】
前記第一挿入口の周囲には、第一当止部が形成され、前記操作部材は、前記第一当止部に当止される本体を備え、前記本体の前記伝動部材から離れている片側には、前記第一挿入口を貫通して前記カバーの外側に露出される操作部が形成されることを特徴とする請求項７に記載の電子装置。
【発明の詳細な説明】
【技術分野】
【０００１】
本発明は、電子装置に関するものであり、特にイジェクト構造を有する電子装置に関するものである。
【背景技術】
【０００２】
電子製品の機能が多様化することによって、携帯式電子装置に利用されるメモリーカードの種類が増えている。これらメモリーカードとして例えば、ＳＤ（Ｓｅｃｕｒｅ  Ｄｉｇｉｔａｌ  Ｍｅｍｏｒｙ  Ｃａｒｄ）カード、ＣＦカード、ＳＩＭ（Ｓｕｂｓｃｒｉｂｅｒ  Ｉｄｅｎｔｉｆｉｃａｔｉｏｎ  Ｍｏｄｕｌｅ  Ｃａｒｄ）カードなどがある。現在、電子製品のメモリーカード保持構造は、一般的に電子装置の内部に設置されているので、メモリーカードを電子装置に取り付けるか、又は電子装置から取り出す場合、電子装置のカバーを取り外してから、メモリーカードをメモリーカード保持構造に取り付けるか又はメモリーカード保持構造から取り出すことを必要とするので、操作が面倒である。
【発明の概要】
【発明が解決しようとする課題】
【０００３】
本発明の目的は、前記課題を解決し、メモリーカードを容易に取り出すことができる電子装置を提供することである。
【課題を解決するための手段】
【０００４】
本発明に係る電子装置は、カバー及び前記カバーに装着されるイジェクト機構を備え、前記イジェクト機構は、メモリーカードを保持するトレイと、前記カバーの側壁にスライド可能に接続される操作部材と、前記カバーに回動可能に接続される伝動部材と、を備え、前記操作部材は、外力によってスライドするとともに前記伝動部材を連動して回動させ、前記伝動部材は、回動するとともに前記トレイを推進して、前記トレイは、前記カバーの外部に排出される。
【発明の効果】
【０００５】
従来の技術に比べて、本発明は電子装置のカバーにイジェクト機構を装着したので、前記カバーの側壁に接続された前記イジェクト機構の操作部材を操作するだけで、メモリーカードを保持した前記イジェクト機構のトレイを前記カバーの外部に排出させて、メモリーカードを容易に取り出すことができる。
【図面の簡単な説明】
【０００６】
【図１】本発明の実施形態に係る電子装置の斜視図である。
【図２】図１に示す電子装置の分解斜視図である。
【図３】図２に示す電子装置の部分組立図である。
【図４】図３に示す電子装置を別の視角から見た図である。
【図５】図１に示す電子装置の部分断面図である。
【図６】図１に示す電子装置の別の状態の部分断面図である。
【発明を実施するための形態】
【０００７】
以下、図面を参照して、本発明の実施形態について説明する。
【０００８】
図１を参照すると、本発明の実施形態に係る電子装置は、上部カバー１０と、前記上部カバー１０に接続される下部カバー２０と、前記下部カバー２０に設置されるイジェクト機構３０と、を備える。前記電子装置１００は、コンピューター、携帯電話などである。前記イジェクト機構３０は、保持されたメモリーカード４０（図２を参照）を取り出すために用いられる。前記メモリーカード４０は、ＳＩＭカード、ＳＤカード及びＣＦカードなどである。本実施形態において、前記電子装置１００は携帯電話であり、前記メモリーカード４０はＳＩＭカードである。
【０００９】
図２を参照すると、前記下部カバー２０は、底壁２０１及び側壁２０３を備える。前記底壁２０１の前記上部カバー１０に対面する表面には、コネクター５０が設置される。前記側壁２０３の前記コネクター５０に対応する位置には、前記イジェクト機構３０が装着される。前記メモリーカード４０は、前記イジェクト機構３０の内部に保持され且つ前記コネクター５０に電気的に接続される。
【００１０】
前記コネクター５０は、本体５０１及びカバー５０３を備える。前記本体５０１は、矩形の平板状であり、前記下部カバー２０においてイジェクト機構３０が装着される側壁２０３に直交する前記本体５０１の２つの側辺５０１１には、弾性シート５０１０が互いに向き合うようにそれぞれ設けられる。前記本体５０１は、２つのスライドスロット５０１２及び当止部５０１４をさらに備える。２つの前記スライドスロット５０１２は、前記本体５０１の２つの前記側辺５０１１に近接し且つ２つの前記側辺５０１１に平行である。前記当止部５０１４は、２つの前記側辺５０１１の前記側壁２０３から離れている一端との間に垂直に接続される。
【００１１】
前記側壁２０３には、第一挿入口２０３０、前記第一挿入口２０３０に連通される第二挿入口２０３２、第一当止部２０３４及び第二当止部２０３６（図５を参照）が設けられる。前記第一挿入口２０３０及び前記第二挿入口２０３２は、前記側壁２０３の長手方向に沿って設けられた細長い開口であり、前記イジェクト機構３０は、前記第一挿入口２０３０及び前記第二挿入口２０３２を貫通する。
【００１２】
前記第一当止部２０３４は、前記側壁２０３の前記コネクター５０に近接して対面する内表面に設けられ、且つ前記第一挿入口２０３０の周囲を囲む。前記第一当止部２０３４は、前記側壁２０３の内表面から外表面に向かって窪んで形成される。前記第二当止部２０３６は、前記第二挿入口２０３２の前記第一挿入口２０３０から離れている一端に設けられ、前記側壁２０３の外表面が内表面に向かって窪んで形成される。
【００１３】
前記イジェクト機構３０は、操作部材３２と、伝動部材３４と、弾性部材３６と、トレイ３８と、支持部材３９と、を備える。前記操作部材３２は、前記側壁２０３にスライド可能に取り付けられ、本体３２１と、操作部３２１０と、駆動部３２１２と、凹部３２１４と、を備える。前記操作部３２１０は、前記本体３２１の長手方向の一方の側の中央部に設置される。前記駆動部３２１２及び前記凹部３２１４は、前記本体３２１の長手方向の他方の側の端部及び中央部に設けられる。前記駆動部３２１２の前記凹部３２１４に近い一端は、前記凹部３２１４に向かって傾斜して駆動斜面３２１６を形成する。
【００１４】
前記伝動部材３４は、連結軸３４１と、第一係合部３４３と、押圧部３４５と、を備える。前記第一係合部３４３及び前記押圧部３４５は、前記連結軸３４１の両端において上向きに突出するように設置される。前記連結軸３４１の中央部には、固定部材３４１２貫通させる貫通孔３４１０が設けられる。前記第一係合部３４３の一方の側には、接触面３４３０が形成され、前記第一係合部３４３の他方の側には、スロット３４３２が設けられる。スロット３４３２は、連結軸３４１に沿って形成されている。前記接触面３４３０は、前記駆動斜面３２１６に接触する斜面である。
【００１５】
前記弾性部材３６は、トーションバネであり、中空円形の取付部３６０と、前記弾性部材３６の両端に位置する第一弾性アーム３６２及び第二弾性アーム３６４と、を備える。前記固定部材３４１２は前記取付部３６０を貫通し、前記第一弾性アーム３６２は、前記伝動部材３４のスロット３４３２に収納され、前記第二弾性アーム３６４は、端部を垂直に折り曲げられて略「Ｌ」字状に形成されており、前記第二弾性アーム３６４の折り曲げられた端部が前記伝動部材３４の押圧部３４５に近い連結軸３４１の片側に当接して、前記伝動部材３４に弾性力を付与する。
【００１６】
前記トレイ３８は、略矩形であり、支持部３８１と、ドローオフ部３８３と、第二係合部３８５（図４を参照）と、を備える。前記支持部３８１は、対向する２つの側辺３８１１と、２つの前記側辺３８１１の間に接続される底辺３８１３と、２つの前記側辺３８１１に形成される２つの位置限定凹部３８１５と、２つの前記側辺３８１１の下方に位置する２つのスライドレール３８１７と、を備える。前記コネクター５０の２つの弾性シート５０１０は、２つの前記位置限定凹部３８１５に係合する。２つの前記スライドレール３８１７は、前記コネクター５０の２つのスライドスロット５０１２に収容されて、２つのスライドスロット５０１２に沿ってスライドする。前記支持部３８１には、開口３８１９が設けられ、前記開口３８１９の形状は、前記メモリーカード４０の形状に対応して、前記メモリーカード４０を保持するために用いられる。
【００１７】
前記ドローオフ部３８３は、前記支持部３８１における前記底辺３８１３から離れる一端に接続され、前記ドローオフ部３８３の形状は、前記第二挿入口２０３２に対応して、前記トレイ３８を容易に挿抜させることができる。前記第二係合部３８５は、前記ドローオフ部３８３の長手方向の中央部から前記底辺３８１３に向かって突出して形成され、前記伝動部材３４の押圧部３４５と係合する。
【００１８】
前記支持部材３９は、前記側壁２０３の前記コネクター５０に対面する内側面に装着されており、前記支持部材３９の長手方向の中央部には、折り曲げることによって突出するように制限部３９０が形成されている。
【００１９】
図３及び図４を併せて参照すると、組み立てる場合、前記操作部材３２を前記下部カバー２０の内側から前記第一挿入口２０３０に装着する。前記操作部材３２の操作部３２１０は、前記第一挿入口２０３０を貫通して前記側壁２０３の外側に露出される。前記第一挿入口２０３０の前記第二挿入口２０３２から離れている一端において第一当止部２０３４が側壁２０３の内表面から窪んで形成されているので、前記本体３２１が第一挿入口２０３０内を移動することができる。前記操作部材３２の本体３２１は、前記第一当止部２０３４に当止される。
【００２０】
前記支持部材３９を前記側壁２０３の内表面において前記第一挿入口２０３０及び前記第二挿入口２０３２を被覆するように固定する。前記操作部材３２の駆動部３２１２は、前記支持部材３９の制限部３９０内に収容されるので、前記操作部材３２が外力によって前記側壁２０３に沿ってスライドする際、前記操作部材３２の移動範囲を制限し、且つ前記操作部材３２が前記側壁２０３の内側に向かって前記第一挿入口２０３０から退出しないようにする。
【００２１】
前記弾性部材３６の取付部３６０と前記伝動部材３４の貫通孔３４１０とを位置合わせしてから、前記固定部材３４１２を前記弾性部材３６の取付部３６０及び前記伝動部材３４の貫通孔３４１０に貫通させて、前記弾性部材３６及び前記伝動部材３４を前記下部カバー２０に固定する。前記伝動部材３４の第一係合部３４３は、前記操作部材３２の凹部３２１４内に収容され、前記伝動部材３４の接触面３４３０は、前記操作部材３２の駆動斜面３２１６に当接する。
【００２２】
前記トレイ３８の支持部３８１の底辺３８１３を前記下部カバー２０の外側から前記第二挿入口２０３２に挿入して、前記トレイ３８のスライドレール３８１７は前記コネクター５０の本体５０１のスライドスロット５０１２に沿ってスライドする。前記トレイ３８を完全に挿入すると、前記トレイ３８のドローオフ部３８３は、前記第二当止部２０３６に当止され、前記トレイ３８の支持部３８１の底辺３８１３は、前記コネクター５０の本体５０１の当止部５０１４に当止されて、前記トレイ３８をさらに挿入することができない。前記コネクター５０の本体５０１の弾性シート５０１０が前記トレイ３８の位置限定凹部３８１５に係合すると、弾性シート４０１０が移動することによる弾性復帰力が生じて、前記トレイ３８が前記コネクター５０に保持するようにする。最終的に、前記カバー５０３を前記トレイ３８を保持した前記コネクター５０の本体５０１の上に取り付ける。
【００２３】
前記操作部材３２の本体３２１は、前記第一挿入口２０３０周囲の前記第一当止部２０３４に当接され、前記トレイ３８のドローオフ部３８３は、前記第二挿入口２０３２周囲の前記第二当止部２０３６に当止されて、前記第一挿入口２０３０及び前記第二挿入口２０３２は密封されて、水や埃などが前記電子装置１００内に入ることを防止する。
【００２４】
図５及び図６を参照すると、前記トレイ３８を排出して、前記メモリーカード４０を取り付けるか又は取り出す場合、前記操作部材３２の操作部３２１０に前記トレイ３８から離れる方向に向かって推進力を加えると、前記操作部材３２は前記推進力の作用によって前記側壁２０３に沿ってスライドする。前記操作部材３２の駆動斜面３２１６は、前記伝動部材３４の接触面３４３０に対してスライドしながら、前記伝動部材３４の第一係合部３４３を前記操作部材３２から離れる方向に向かって推進する。前記弾性部材３６の第一弾性アーム３６２は、前記伝動部材３４の第一係合部３４３とともに前記操作部材３２から離れる方向に向かって移動して、前記伝動部材３４の押圧部３４５は、前記トレイ３８の排出方向に向かって移動して前記トレイ３８の第二係合部３８５に当接する。前記伝動部材３４が前記操作部材３２の作用でさらに回動する時、前記伝動部材３４の押圧部３４５は前記トレイ３８の第二係合部３８５を推進して、前記トレイ３８が徐々に排出される。
【００２５】
前記第二挿入口２０３２から排出された前記ドローオフ部３８３を引っ張って前記トレイ３８を引き出して、前記メモリーカード４０を取り付けるか又は取り出してから、前記ドローオフ部３８３を再び挿入する。この時、前記トレイ３８の第二係合部３８５は、前記伝動部材３４の押圧部３４５を推進して、前記伝動部材３４の押圧部３４５は前記第二挿入口２０３２から離れる方向に向かって回動する。前記伝動部材３４の第一係合部３４３は、前記弾性部材３６の弾性復帰力によって前記操作部材３２に向かって移動し、前記伝動部材３４の接触面３４３０は前記操作部材３２の駆動斜面３２１６に対してスライドするとともに、前記操作部材３２を連動して前記トレイ３８に近付く方向に向かって移動させる。前記トレイ３８を完全に挿入すると、前記操作部材３２及び前記伝動部材３４は、元の状態に復帰する。
【００２６】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２７】
１０  上部カバー
２０  下部カバー
３０  イジェクト機構
３２  操作部材
３４  伝動部材
３６  弾性部材
３８  トレイ
３９  支持部材
４０  メモリーカード
５０  コネクター
１００  電子装置
２０１  底壁
２０３  側壁
３２１  本体
３４１  連結軸
３４３  第一係合部
３４５  押圧部
３６０  取付部
３６２  第一弾性アーム
３６４  第二弾性アーム
３８１  支持部
３８３  ドローオフ部
３８５  第二係合部
３９０  制限部
５０１  本体
５０３  カバー
２０３０  第一挿入口
２０３２  第二挿入口
２０３４  第一当止部
２０３６  第二当止部
３２１０  操作部
３２１２  駆動部
３２１４  凹部
３２１６  駆動斜面
３４１０  貫通孔
３４１２  固定部材
３４３０  接触面
３４３２  スロット
３８１１  側辺
３８１３  底辺
３８１５  位置限定凹部
３８１７  スライドレール
３８１９  開口
５０１０  弾性シート
５０１１  側辺
５０１２  スライドスロット
５０１４  当止部
【図１】
2013061933.tif 000003
【図２】
2013061933.tif 000004
【図３】
2013061933.tif 000005
【図４】
2013061933.tif 000006
【図５】
2013061933.tif 000007
【図６】
2013061933.tif 000008